(57)【要約】【課題】複数の化粧材を下地材に取り付ける建築構造体において、施工が容易にできると共に化粧材の交換やメンテナンスが容易にできる建築構造体を提供する。【解決手段】  一方の化粧材１８と、一方の化粧材１８と間隔をあけて設けた他方の化粧材１９と、外れ止め材２１とを備え、一方の化粧材１８は、下地材５に取り付ける一方の取付材２３と、一方の取付材２３に他方側から係合する一方の見付材２５を有し、他方の化粧材１９は、下地材５に取り付ける他方の取付材２７と、他方の取付材２７に一方側から係合する他方の見付材２９を有し、外れ止め材２１は、一方の取付材２７と他方の取付材２７との間で下地材５に取り付けてあり、一方の見付材２５と他方の見付材２９の外れを規制している。【選択図】図１
2014101719.tif 000002
【特許請求の範囲】
【請求項１】
一方の化粧材と、一方の化粧材と間隔をあけて設けた他方の化粧材と、外れ止め材とを備え、一方の化粧材は、下地材に取り付ける一方の取付材と、一方の取付材に他方側から係合する一方の見付材を有し、他方の化粧材は、下地材に取り付ける他方の取付材と、他方の取付材に一方側から係合する他方の見付材を有し、外れ止め材は、一方の取付材と他方の取付材との間で下地材に取り付けてあり、一方の見付材と他方の見付材の外れを規制していることを特徴とする建築構造体。
【請求項２】
外れ止め材は、固着具で下地材に取付けてあり、固着具は、一方の取付材又は他方の取付材と下地材とのコーナー部に斜め方向から下地材に固定してあり、固着具は一方又は他方の見付材で隠してあることを特徴とする請求項１に記載の建築構造体。
【発明の詳細な説明】
【技術分野】
【０００１】
本発明は、建物の壁面や天井等の建築構造体に関する。
【背景技術】
【０００２】
非特許文献１には、図７（ａ）（ｂ）に示すように、他方の化粧材１０１の一方側端部１０１ａを下地材１０５に固着具１０７で固定し、一方の化粧材１０３の他方側端部１０３ｂを他方の化粧材１０１の一方側端部１０１ａに係合した後、一方の化粧材１０３の一方側端部１０３ａを固着具１０７で下地材１０５に固定することにより、他方の化粧材１０１と一方の化粧材１０３とを順次下地材１０７取り付けて施工する建築構造体が開示されている。
【先行技術文献】
【特許文献】
【０００３】
【非特許文献１】第１９頁「三協立山アルミ  アルミ壁材・化粧材  スパンドレル」三協立山アルミ株式会社発行  カタログＮｏ．ＳＴＢ０１０２ｃ  ２００８年５月発行（平成２０年６月２０日  独立行政法人  工業所有権情報・研修館  受入）
【発明の概要】
【発明が解決しようとする課題】
【０００４】
しかし、非特許文献１の技術では、例えば汚れや劣化した為、一方側と他方側との間の中間にある化粧材を交換しようとした場合には、各化粧材は互いに連続して係合してある為に、中間にある化粧材を抜き出して交換できず、一方側から化粧材を順次外して、中間にある化粧材を抜き出す必要があるので、交換やメンテナンスに手間がかかるという不都合があった。
また、複数の化粧材を下地材に取り付ける場合に、容易に施工できる建築構造体が望まれている。
【０００５】
そこで、本発明は、複数の化粧材を下地材に取り付ける建築構造体において、施工が容易にできると共に化粧材の交換やメンテナンスが容易にできる建築構造体の提供を目的とする。
【課題を解決するための手段】
【０００６】
請求項１に記載の発明は、一方の化粧材と、一方の化粧材と間隔をあけて設けた他方の化粧材と、外れ止め材とを備え、一方の化粧材は、下地材に取り付ける一方の取付材と、一方の取付材に他方側から係合する一方の見付材を有し、他方の化粧材は、下地材に取り付ける他方の取付材と、他方の取付材に一方側から係合する他方の見付材を有し、外れ止め材は、一方の取付材と他方の取付材との間で下地材に取り付けてあり、一方の見付材と他方の見付材の外れを規制していることを特徴とする建築構造体である。
【０００７】
請求項２に記載の発明は、請求項１に記載の発明において、外れ止め材は、固着具で下地材に取付けてあり、固着具は、一方の取付材又は他方の取付材と下地材とのコーナー部に斜め方向から下地材に固定してあり、固着具は一方又は他方の見付材で隠してあることを特徴とする。
【発明の効果】
【０００８】
請求項１に記載の発明によれば、建築構造体の施工は、下地材に一方の取付材と他方の取付材とを間隔をあけて順次取り付けた後、一方の取付材に他方側から一方の見付材を係合し、他方の取付材に一方側から他方の見付材を係合した後、一方の取付材と他方の取付材との間で下地材に外れ止め材を取り付けるだけであるから、建築構造体の施工が容易にできる。
任意の見付材をメンテナンスや交換するときには、その見付材を押えている外れ止め材を外し、取付材との係合を外すことで見付材又は化粧材の交換やメンテナンスが容易にできる。
１つの外れ止め材で、一方の見付材と他方の見付材との２つの見付材の外れを規制しているので、部品点数を少なくできると共に施工の作業効率が良い。
【０００９】
請求項２に記載の発明によれば、請求項１に記載の作用効果を奏すると共に固着具を隠しているので、外観が良い。
【図面の簡単な説明】
【００１０】
【図１】本発明の第１実施の形態にかかる建築構造体及びその裏側の図であって、図４のＡ部を拡大して示す縦断面図である。
【図２】本発明の第１実施の形態にかかる建築構造体及びその裏側の図であって、図１に示すＢ−Ｂ断面図である。
【図３】本発明の第１実施の形態にかかる建築構造体及びその裏側の図であって、建築構造体の施工方法を示す縦断面図である。
【図４】本発明の第１実施の形態にかかる建築構造体及びその裏側を示す縦断面図である。
【図５】本発明の第２実施の形態にかかる建築構造体及びその裏側の図であって、図１と略同じ位置で切断して示す縦断面図である。
【図６】本発明の第２実施の形態にかかる建築構造体及びその裏側の図であって、図５のＣ−Ｃ断面図である。
【図７】従来の建築構造体及びその裏側の図であって、（ａ）は施工した状態の縦断面図、（ｂ）は施工方法を示す縦断面図である。
【発明を実施するための形態】
【００１１】
以下に、添付図面を参照して本発明の実施の形態を説明するが、まず、図１〜図４を参照して本発明の第１実施の形態を説明する。第１実施の形態に係る建築構造体１は、鉄道駅構内のコンコースの天井である。
図４に示すように、建築構造体１の裏側（上側）には、吸音材３と、下地材５とが設けてあり、下地材５は野縁であり、躯体７との間に設けた支持構造体９に取り付けてある。
支持構造体９は、上端を躯体７に固定した吊ボルト１１と、吊ボルト１１の下端に固定したハンガー１３と、ハンガー１３に固定した下地材受け１７と、耐震ブレース１５とを備え、下地材受け１７に下地材５がボルト及びナットで固定してある。
吸音材３は、下地材５の上に配置してあり、例えば、ガラスクロスである。
図１に示すように、建築構造体１は、一方の化粧材１８と、一方の化粧材１８と間隔をあけて設けた他方の化粧材１９と、外れ止め材２１とを備えており、各化粧材１８、１９及び外れ止め材２１は、各々下地材５の下面に取り付けてある。尚、図４では、建築構造体１の各化粧材１８、１９を一部省略して示している。
【００１２】
一方の化粧材１８は、下地材５に取り付ける一方の取付材２３と、一方の取付材２３に係合する一方の見付材２５を備えており、他方の化粧材１９は、下地材５に取り付ける他方の取付材２７と、他方の取付材２７に係合する他方の見付材２９を備えている。
一方の取付材２３は、ねじ３１で下地材５の下面に固定してあり、一方の取付材２３の下面には縦断面Ｌ字形状の被係合部３３ａ、３３ｂが一方側と他方側との間で間隔をあけて形成してあり、各被係合部３３ａ、３３ｂは共にＬ字の先端を他方側に向けている。尚、一方の取付材２３の一方側端面２３ａは傾斜面となっており、後述する一方の見付材２５の一方側面部２５ｂの傾斜面と一致した傾斜面であり、一方の取付材２３の他方側端面２３ｂは、一方の見付材２５の他方側面部２５ｆの傾斜面と一致した傾斜面になっている。
一方の見付材２５は、縦断面が略三角形状の長尺材であり、本実施の形態では、縦断面が二等辺三角形のアルミニウム製形材である。一方の見付材２５は三角形の頂点２５ａを下向きにして取り付けてある。一方の見付材２５の一方側面部２５ｂと他方側面部２５ｆは、三角形の傾斜面になっており、各々上下方向に傾斜した傾斜面である。
縦断面における一方の見付材２５の三角形の上辺２５ｃには、上方に突出した一方側係合部３５ａ及び他方側係合部３５ｂが形成されている。一方側係合部３５ａと他方側係合部３５ｂとは同方向に向いた縦断面略が略Ｌ字形状を成しており、各々Ｌ字の先端を一方側に向けている。
【００１３】
他方の取付材２７は、ねじ３８で下地材５の下面に固定してあり、一方側面部２７ａと他方側面部２７ｂを備えており、一方側面部２７ａの下端には一方の被係合部３７ａが形成されており、他方側面部２７ｂの下端には他方の被係合部３７ｂが形成されている。一方側面部２７ａは、後述する他方の見付材２９の一方側面部２９ｂの傾斜面と一致した傾斜面になっており、他方側面部２７ｂは他方の見付材２９の他方側面部２９ｆの傾斜面と一致した傾斜面になっている。
一方の被係合部３７ａ及び他方の被係合部３７ｂは、共に先端を一方側に向けた断面略Ｌ字形状を成している。
他方の見付材２９は、縦断面が略台形状を成しており、一方側面部２９ｂと他方側面部２９ｆは各々上下方向に傾斜した傾斜面になっている。他方の見付材２９において、台形の上底２９ａには縦断面が略Ｌ字形状の一方の係合部３９ａと他方の係合部３９ｂが上方に突出して形成されており、各係合部３９ａ、３９ｂはＬ字の先端を他方側に向けている。一方の係合部３９ａは他方の見付材２９の一方側面部２９ｂから一方側面部２９ｂの傾斜に沿って上方に突出した突出部に形成してある。他方の係合部３９ｂは、一方の係合部３９ａの他方側に間隔をあけて形成している。
【００１４】
一方の見付材２５は、図１において他方側から一方側へスライドさせて一方の取付材２３に係合しており、他方の見付材２９は、一方側から他方側へスライドさせて他方の取付材２７に係合している。即ち、一方の見付材２５と他方の見付材２９とは互いに離れる方向にスライドさせることにより、対応する各取付材２３、２７に係合してある。
一方の見付材２５は縦断面において三角形の頂点２５ａを下にして、他方の見付材２９は台形の下底２９ｃを下側にして、一方の見付材２５と他方の見付材２９とが交互に間隔をおいて配置してあり、縦断面において、下側には頂点２５ａと辺部２９ｃとが交互に配置している。一方の見付材２５と他方の見付材２９とで互いに対向する側面部２５ｆ、２９ｂ及び２５ｂ、２９ｆは、上下方向の傾斜面になっており、対向する傾斜面２５ｆ、２９ｂ及び２５ｂ、２９ｆは同じ向きに傾斜している。また、互いに対向する側面部２５ｆ、２９ｂ及び２５ｂ、２９ｆ間の間隔は、上側程狭くしてある。
隣り合う一方の見付材２５と他方の化粧材２９は、下から見たときに符号Ｈで示すように、隣り合う一方側面部２５ｂと他方側面部２９ｆ、他方側面部２５ｆと一方側面部２９ｂが重なり合って吸音材３及び下地材５を隠している。
【００１５】
外れ止め材２１は、下地材固定部２１ａと、一方の見付材押さえ部２１ｂと、他方の見付材押さえ部２１ｃとを備えている。図２に示すように、外れ止め材２１は他方の見付材２９の長手方向に間隔をあけて配置されている。
下地材固定部２１ａは下地材５と他方の取付材２７とが形成するコーナー部にねじ（固着具）４１を斜めに向けて止めてある。ねじ４１は本実施の形態では、他方の見付材２９の一方側面部２９ｂの傾斜に沿う方向で斜めに止めてある。
一方の見付材押さえ部２１ｂは、一方の見付材２５の他方側面部２５ｆの上端部と一方の取付材２３の他方側面部２３ｂとに対向して、一方の取付材２３に対して一方の見付材２５の係合が外れないように一方の見付材２５を押えて移動を規制している。他方の見付材押さえ部２１ｃは、他方の見付材２９の一方側面部２９ｂの上端部と他方の取付材２７の一方側面部２７ａとに対向して、他方の取付材２７に対して他方の見付材２９の係合が外れないように他方の見付材２９を押さえ移動を規制している。
尚、図１に示す各見付材２５、２９の開き角度Ｒ１及びＲ２について、本実施の形態では、Ｒ１は約９０度であり、Ｒ２は約５３度である。
【００１６】
次に、第１実施の形態にかかる建築構造体１の施工、作用効果について説明する。
建築構造体１の施工は、図４に示すように、支持構造体９及び吸音材３を施工した後、支持構造体９の下地材受け１７に下地材５を取り付け、下地材５に一方の取付材２３と、他方の取付材２７を取り付ける為の位置決めをする。位置決めは、隣り合う一方の見付材２５と他方の見付材２９とにおいて、隣り合う側面部２５ｆ、２９ｂ及び２９ｆ、２５ｂが、下から見たときに重なる位置としてある。
次に、図３に示すように、下地材５の下面に一方の取付材２３と他方の取付材２７を上述した位置決めした位置で、交互に取付けてから、一方の取付材２３に一方の見付材２５を一方側へのスライド係合により取り付け、他方の取付材２７に他方の見付材２７を他方側へのスライド係合により取付ける。そして、図１に示すように、一方の化粧材１８の他方側と他方の化粧材１９の一方側との間に外れ止め材２１を配置して、外れ止め材２１の一方の見付材押え部２１ｂで一方の見付材２５の他方側面部２５ｆを押え、他方の見付材押え部２１ｃで他方の見付材２９の一方側面部２９ｂを押えて、下地材固定部２１ａをねじ４１で下地材５に固定する。
【００１７】
本実施の形態によれば、建築構造体１の施工は、下地材５に一方の取付材２３と他方の取付材２５とを間隔をあけて順次取り付けた後、一方の取付材２３に他方側から一方の見付材２５を係合し、他方の取付材２７に一方側から他方の見付材２９を係合した後、一方の取付材２３と他方の取付材２７との間で下地材５に外れ止め材２１を取り付けるだけであるから、施工が容易にできる。
任意の見付材２５、２９をメンテナンスや交換するときには、その見付材２５、２９を押えている外れ止め材２１を外し、取付材２３、２７との係合を外すことで見付材２５、２９や化粧材１８、１９の交換やメンテナンスが容易にできる。
１つの外れ止め材２１で、一方の見付材２５と他方の見付材２９との２つの見付材の外れを同時に規制しているので、部品点数を少なくできると共に作業効率が良い。
外れ止め材２１は、他方の取付材２７と下地材５とのコーナー部に固定しているので、下から天井１を見たときに見え難く、外観が良い。特に、外れ止め材４９を固定するねじ（固着具）４１を斜めにしてねじ込み、ねじ４１は他方の見付材２９で隠しているので、外観が良い。
【００１８】
更に、一方の見付材２５と他方の見付材２９とにおいて、互いに対向する面部２５ｆ、２９ｂ及び２９ｆ、２５ｂ間の間隔は、上側程狭くしてあるので、下から天井１を見上げたときに外れ止め材２１やねじ４１が見え難い。
他方の見付材２９は、下辺２９ｃを上辺２９ａよりも幅を広くしているので、他方の取付材２７と下地材５とのコーナー部に取り付けている外れ止め材２１及びねじ４１を隠すことができる。
【００１９】
図１に示すように、隣り合う一方の見付材２５と他方の見付材２９間に形成される空間Ｓに入る音の空気振動は、矢印Ｔで示すように、隣り合う面部２５ｂ、２９ｆ間、２５ｆ、２９ｂ間で反射しながら吸音材３に案内し、吸音材３で吸音するので、構内アナウンス等の反射音の低減を図ることができる。
隣り合う一方の見付材２５と他方の見付材２９における隣り合う面部２５ｆ、２９ｂ及び２９ｆ、２５ｂ間が、矢印Ｈで示すように、下から見たときに重なりあって下地材５や吸音材３が見えないので外観が良い。
一方及び他方の見付材２５、２９は、互いに対向する面部２５ｆ、２９ｂ及び２９ｆ、２５ｂの傾斜面が同じ向きに傾斜していることにより、従来にない意匠を得ることができる。
また、一方の見付材２５と他方の見付材２９においてこれらの下端を縦断面において頂点２５ａと辺２９ｃとを交互に配置することでも、従来にない意匠を得ることができる。
【００２０】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図５及び図６に第２実施の形態を示す。図５に示すように、この第２実施の形態にかかる建築構造体１では、第１実施の形態に対して、一方の見付材２５及び他方の見付材２９の形状と、他方の取付材２７の形状と、外れ止め材２１の形状が異なっている。
一方の見付材２５は、縦断面において下面２５ｇを辺にしてあり、一方側面部２５ｂ及び他方側面部２５ｆが、縦断面でくの字形状に凹んだ形状になっている。くの字の頂点４７は下面２５ｇの左右端２５ｄ、２５ｄよりも内側に位置しており、一方側面部２５ｂ及び他方側面部２５ｆの上端２５ｅは下面２５ｇの左右端２５ｄ、２５ｄよりも外側に位置している。
他方の見付材２９は、縦断面において、一方側面部２９ｂが一方側にくの字形状に突出した形状になっており、他方側面部２９ｆが他方側にくの字形状に突出した形状になっている。一方側及び他方側に突出したくの字の各頂点４９は、一方の見付材２５の側面部２５ｂ、２５ｆの上端２５ｅと下から見たときに略同じ位置に位置している。
また、縦断面において、他方の見付材２９の下端は頂点２９ａになっており、一方の見付材２５の下面２５ｇと他方の見付材２９の頂点２９ａが交互に配置されている。
一方の見付材２５の、くの字に凹んだ他方側面部２５ｆと隣り合う他方の見付材２９の、くの字に突出した一方側面部２９ｂとは、両者の間隔が下から上へ向けて次第に狭くなっている。同様に、一方の見付材２５の、くの字に凹んだ一方側面部２５ｂと隣り合う他方の見付材２９の、くの字に突出した他方側面部２９ｆとは、両者の間隔が下から上へ向けて次第に狭くなっている。
外れ止め材２１の下地材固定部２１ａは下地材５と一方の取付材２３とが形成するコーナー部にねじ４１を斜めに向けて止めてある。また、第２実施の形態では、外れ止め材２１では、下地材固定部２１ａの一方側端が一方の見付材押さえ部となっている。また、外れ止め材２１は、一方の見付材さえ部２１ｂと他方の見付材押さえ部２１ｃとの間で下地材５の下面に当接するように下地材５側に突設した下地材当接部２１ｄが形成されている。尚、図６に示すように、この第２実施の形態でも外れ止め材２１は他方の見付材２９の長手方向に間隔をあけて配置されている。
【００２１】
この第２実施の形態によれば、上述した第１実施の形態と同様の作用効果を奏することができる。
更に、建築構造体を見たときに、図５に矢印Ｍ、Ｎで示すように、斜めから見た場合でも、一方の見付材２５及び他方の見付材２９により、下地材５を隠すことができ外観が良い。
一方の見付材２５の他方側面部２５ｆとこれに隣り合う他方の見付材２９の一方側面部２９ｂ、一方の見付材２５の一方側面部２５ｂとこれに隣り合う他方の見付材２９の他方側面部２９ｆを共にくの字形状としているので、いままでにない特異な意匠を形成できる。
【００２２】
本発明は、上述した実施の形態に限らず、本発明の要旨を逸脱しない範囲で種々変形可能である。
例えば、本発明にかかる建築構造材は、天井に限らず、建物の内壁や外壁、フェンス等であっても良い。
隣り合う一方及び他方の見付材２５、２９において、下から見たときに隣り合う側の重なりは、少なくとも隣り合う側の端が重なって見えれば良く、例えば隣り合う面部２５ｆ、２９ｂ及び２５ｂ、２９ｆの略半分が重なって見えても良く、重なり幅は制限されない。
一方及び他方の化粧材１８、１９は、アルミニウム製の形材に限らず、鋼材等であっても良く、材質は制限されない。
請求項２に記載の固着具は、ねじ４１に限らず、例えば、くぎや係止片等であってもよく、下地材５に外れ止め材２１を固定するものであれば、なんでも良い。
【符号の説明】
【００２３】
１    建築構造体
５    下地材
１８  一方の化粧材
１９  他方の化粧材
２１  外れ止め材
２３  一方の取付材
２５  一方の見付材
２７  他方の取付材
２９  他方の見付材
４１  ねじ（固着具）
【図１】
2014101719.tif 000003
【図２】
2014101719.tif 000004
【図３】
2014101719.tif 000005
【図４】
2014101719.tif 000006
【図５】
2014101719.tif 000007
【図６】
2014101719.tif 000008
【図７】
2014101719.tif 000009